【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
光を受けるように配置され、かつ、光の入射により電荷を生じる光電変換部を各々が有する複数の画素と、
前記複数の画素の各々に対応して、リセット状態の前記光電変換部に基づくリセット信号及び前記光電変換部で生じた電荷に基づく光信号を一時的に保持する第１の保持部と、前記第１の保持部への書き込みを制御する第１のスイッチと、を有し、
前記複数の画素は、
前記リセット信号と、前記光信号と、を読み出す第１の読み出し動作を実行するように構成された第１の画素と、
前記第１の画素と同時に読み出し動作が行われる画素であって、前記第１の読み出し動作と、前記リセット信号のみを読み出す第２の読み出し動作と、のいずれかを選択して実行するように構成された第２の画素と、を有し、
前記第１の画素に対応する前記第１のスイッチを制御する制御線と、前記第２の画素に対応する前記第１のスイッチを制御する制御線とは、異なる配線である
ことを特徴とする光電変換素子。
【請求項２】
前記第１のスイッチを制御する制御部を更に有し、
前記制御部は、
前記複数の画素の各々から前記リセット信号を読み出して対応する前記第１の保持部にそれぞれ保持する際に、前記第１の画素の前記第１のスイッチ及び前記第２の画素の前記第１のスイッチを同時にオンに制御し、
前記複数の画素の各々から前記光信号を読み出して対応する前記第１の保持部にそれぞれ保持する際に、前記第２の画素の前記第１のスイッチをオフのまま、前記第１の画素の前記第１のスイッチをオンに制御する
ことを特徴とする請求項１記載の光電変換素子。
【請求項３】
前記複数の画素の各々は、前記光電変換部をリセットするリセットトランジスタを更に有し、
前記第１の画素の前記リセットトランジスタを制御する制御線と、前記第２の画素の前記リセットトランジスタを制御する制御線とは、異なる配線である
ことを特徴とする請求項１又は２記載の光電変換素子。
【請求項４】
前記複数の画素の前記リセットトランジスタを制御する制御部を更に有し、
前記制御部は、前記複数の画素から前記リセット信号を同時に読み出した後、前記複数の画素から前記光信号を同時に読み出す前に、前記第２の画素の前記リセットトランジスタを選択的にオンに制御し、前記第２の画素の前記光電変換部をリセットする
ことを特徴とする請求項３記載の光電変換素子。
【請求項５】
前記第１の画素から出力された信号のレベルから前記第２の画素から出力された信号のレベルを差し引く信号処理部を更に有する
ことを特徴とする請求項１乃至４のいずれか１項に記載の光電変換素子。
【請求項６】
前記複数の画素は、第１の方向に沿って１次元状に配列されている
ことを特徴とする請求項１乃至５のいずれか１項に記載の光電変換素子。
【請求項７】
複数の行及び複数の列に渡って画素が配列された画素アレイを有し、
前記複数の行の各々は、前記複数の画素により構成されており、
前記複数の行の各々に配された前記第２の画素は、前記画素アレイの端部の同じ列に配されている
ことを特徴とする請求項１乃至５のいずれか１項に記載の光電変換素子。
【請求項８】
前記複数の行の各々に配された前記第２の画素は、前記画素アレイの両端部の同じ列に配されている
ことを特徴とする請求項７記載の光電変換素子。
【請求項９】
複数の請求項６記載の前記光電変換素子を前記第１の方向に沿って配列することにより構成された１つの撮像領域を有する
ことを特徴とする撮像装置。
【請求項１０】
前記複数の光電変換素子のうち、端部に配された一の前記光電変換素子の前記第２の画素は、前記第２の読み出し動作を実行するように構成されており、
前記複数の光電変換素子のうち、他の前記光電変換素子の前記第２の画素は、前記第１の読み出し動作を実行するように構成されている
ことを特徴とする請求項９記載の撮像装置。
【請求項１１】
複数の請求項７又は８記載の前記光電変換素子を２次元状に配列することにより構成された１つの撮像領域を有する
ことを特徴とする撮像装置。
【請求項１２】
前記第２の画素のうち、前記撮像領域の端部の同じ列に配されている前記第２の画素は、前記第２の読み出し動作を実行するように構成されており、他の前記第２の画素は、前記第１の読み出し動作を実行するように構成されている
ことを特徴とする請求項１１記載の撮像装置。
【請求項１３】
前記複数の光電変換素子に電源を供給する共通配線を更に有する
ことを特徴とする請求項９乃至１２のいずれか１項に記載の撮像装置。
【請求項１４】
対象物の画像を読み取る画像読み取り装置であって、
前記対象物に光を照射する発光部と、
前記対象物により反射された光を受光して電気信号に変換する請求項９乃至１３のいずれか１項に記載の撮像装置と
を有することを特徴とする画像読み取り装置。
【請求項１５】
移動体であって、
請求項９乃至１３のいずれか１項に記載の撮像装置と、
前記撮像装置からの信号に基づく視差画像から、対象物までの距離情報を取得する距離情報取得手段と、
前記距離情報に基づいて前記移動体を制御する制御手段と
を有することを特徴とする移動体。
【手続補正２】
【補正対象書類名】明細書
【補正対象項目名】０００６
【補正方法】変更
【補正の内容】
【０００６】
本発明の一観点によれば、光を受けるように配置され、かつ、光の入射により電荷を生じる光電変換部を各々が有する複数の画素と、前記複数の画素の各々に対応して、リセット状態の前記光電変換部に基づくリセット信号及び前記光電変換部で生じた電荷に基づく光信号を一時的に保持する第１の保持部と、前記第１の保持部への書き込みを制御する第１のスイッチと、を有し、前記複数の画素は、前記リセット信号と、前記光信号と、を読み出す第１の読み出し動作を実行するように構成された第１の画素と、前記第１の画素と同時に読み出し動作が行われる画素であって、前記第１の読み出し動作と、前記リセット信号のみを読み出す第２の読み出し動作と、のいずれかを選択して実行するように構成された第２の画素と、を有し、前記第１の画素に対応する前記第１のスイッチを制御する制御線と、前記第２の画素に対応する前記第１のスイッチを制御する制御線とは、異なる配線である光電変換素子が提供される。
【手続補正３】
【補正対象書類名】明細書
【補正対象項目名】０００８
【補正方法】変更
【補正の内容】
【０００８】
【図１】本発明の第１実施形態による画像読み取り装置の概略構成を示す斜視図である。
【図２】本発明の第１実施形態による画像読み取り装置における撮像装置の構成例を示す概略図である。
【図３】本発明の第１実施形態による画像読み取り装置における撮像装置に対する入出力信号を説明する図である。
【図４】本発明の第１実施形態による画像読み取り装置における撮像素子の構成例を示す回路図である。
【図５】本発明の第１実施形態による画像読み取り装置における撮像素子のバイアス回路の構成例を示す概略図である。
【図６】本発明の第１実施形態による画像読み取り装置における撮像素子のロジック回路及びタイミングジェネレータの構成例を示す概略図である。
【図７】本発明の第１実施形態による画像読み取り装置における撮像素子の動作例を示すタイミング図である。
【図８】本発明の第２実施形態による画像読み取り装置における撮像素子の構成例を示す回路図である。
【図９】本発明の第２実施形態による画像読み取り装置における撮像素子のロジック回路及びタイミングジェネレータの構成例を示す概略図である。
【図１０】本発明の第２実施形態による画像読み取り装置における撮像素子の動作例を示すタイミング図である。
【図１１】本発明の第２実施形態による画像読み取り装置における撮像素子の他の動作例を示すタイミング図である。
【図１２】本発明の第３実施形態による画像読み取り装置における撮像素子の構成例を示す回路図である。
【図１３】本発明の第３実施形態による画像読み取り装置における撮像素子のロジック回路及びタイミングジェネレータの構成例を示す概略図である。
【図１４】本発明の第３実施形態による画像読み取り装置における撮像素子の動作例を示すタイミング図である。
【図１５】本発明の第４実施形態による撮像装置の構成例を示す概略図である。
【図１６】本発明の第４実施形態による撮像装置における撮像素子の構成例を示す回路図である。
【図１７】本発明の第４実施形態による撮像装置における撮像素子のロジック回路及びタイミングジェネレータの構成例を示す概略図である。
【図１８】本発明の第４実施形態による撮像装置における撮像素子の動作例を示すタイミング図である。
【図１９】本発明の第５実施形態による画像読み取り装置の概略構成を示すブロック図である
【図２０】本発明の第６実施形態による撮像システムの概略構成を示すブロック図である。
【図２１】本発明の第７実施形態による撮像システム及び移動体の構成例を示す図である。
【手続補正４】
【補正対象書類名】明細書
【補正対象項目名】０１１８
【補正方法】変更
【補正の内容】
【０１１８】
ところで、同じ構成の３つ以上の撮像素子２２０をタイリングして１つの連続した有効撮像領域を構成するためには、撮像素子２２０の各々の撮像領域の周囲４辺のうち直交する２辺に沿ってオプティカルブラック画素２４０を配置することはできない。これは、撮像素子２２０の直交する２辺に沿ってオプティカルブラック画素２４０を配置すると、撮像素子２２０の間の領域のどこかに必ずオプティカルブラック画素２４０が配置されてしまうためである。そのため、例えば図１５のように、水平方向に３つの撮像素子２２０を配置し、垂直方向に２つの撮像素子２２０を配置した場合、例えば領域２５０のような垂直方向の全域に渡る領域に、オプティカルブラック画素２４０を配置することはできない。このような配置では、垂直方向の全域に渡ってオプティカルブラック画素２４０がないため、オプティカルブラック画素２４０の信号を用いて水平方向に沿ったスジ状のノイズを除去することはできない。
【手続補正５】
【補正対象書類名】明細書
【補正対象項目名】０１４７
【補正方法】変更
【補正の内容】
【０１４７】
［第５実施形態］
本発明の第５実施形態による画像読み取り装置及び画像形成装置について、図１９を用いて説明する。図１９は、本実施形態による画像読み取り装置の概略構成を示すブロック図である。
【手続補正６】
【補正対象書類名】明細書
【補正対象項目名】０１７４
【補正方法】変更
【補正の内容】
【０１７４】
また、上記第５実施形態に示した画像読み取り装置及び画像形成装置は、本発明の撮像装置を適用しうる画像読み取り装置及び画像形成装置を例示したものである。本発明の撮像装置を適用可能な画像読み取り装置及び画像形成装置は、図１９に示した構成に限定されるものではない。